(57)【特許請求の範囲】
【請求項１】
排紙出口に設けた除電ブラシにより除電しつつ排紙ローラ及び排紙ガイド板により排紙トレイ上へ用紙を排出する排紙装置において、上記排紙ローラと上記排紙ガイド板の少なくともいずれか一方に、排紙する用紙にコシを付けるための部位を設けるとともに、上記除電ブラシが、上記用紙にコシを付ける部位に対応する部位にブラシのない部分を有することを特徴とする排紙装置。
【請求項２】
上記除電ブラシの有するブラシが可撓性を有し、上記除電ブラシのブラシ無しとする部分を、該部分が備えるブラシを粘着シートの巻き付けによって覆って形成してなることを特徴とする請求項１の排紙装置。
【発明の詳細な説明】
【０００１】
【発明の属する技術分野】
本発明は、複写機、プリンタ、ファクシミリ、それらの複合機、印刷機等の画像形成装置の排紙装置に関する。
【０００２】
【従来の技術及び発明が解決しようとする課題】
従来のこの種の排紙装置としては、例えば特開昭６３−２０５６８６号公報に記載のものがある。この例の除電ブラシにおいては、排紙トレイ上での用紙のスタック性を良好に保つために、除電ブラシのブラシ長さに違いを設け、このブラシ長の違いを利用して排出用紙にコシを付ける（以下これをコシ付けという）ようにしているが、用紙サイズが大きく、厚さが薄くなるほど用紙にコシを付けるというよりも、用紙を排紙トレイ上へ押し付ける機能が強く発揮されるようになり、用紙のコシ折れによる後端残りや、後端折れ等のスタック不良が発生し得るようになるという問題がある。
【０００３】
また、ブラシの長さが部分的に異なる除電ブラシを製作するには、ブラシをカットするために専用のカッターが必要になったり、カットの工程が増えたりすることになり、除電ブラシの製造コストが高くなるという問題もある。さらに、ブラシ長の異なる複数個の除電ブラシを画像形成装置に組み付ける場合には、組み付け工程が増え、部品の管理費も増えるのでコスト高になるという問題がある。
【０００４】
そこで本発明は、簡単な構成で、小サイズから大サイズの用紙まで、また薄紙から厚紙まで、用紙のコシ付け機能を発揮でき、排紙トレイ上での用紙のスタック性を良好に保つことができ、かつコスト高を招くことのない排紙装置を提供することを目的とする。
【０００５】
【課題を解決するための手段】
本発明の排紙装置のうち請求項１に係るものは、上記目的を達成するために、排紙出口に設けた除電ブラシにより除電しつつ排紙ローラ及び排紙ガイド板により排紙トレイ上へ用紙を排出する排紙装置において、上記排紙ローラと上記排紙ガイド板の少なくともいずれか一方に、排紙する用紙にコシを付けるための部位を設けるとともに、上記除電ブラシが、上記用紙にコシを付ける部位に対応する部位にブラシのない部分を有することを特徴とする。
【０００６】
同請求項２に係るものは、上記除電ブラシの有するブラシが可撓性を有し、上記除電ブラシのブラシ無しとする部分を、該部分が備えるブラシを粘着シートの巻き付けによって覆って形成してなることを特徴とする。
【０００７】
【発明の実施の形態】
以下本発明の実施の形態を図面を参照して説明する。
図１は、本発明に係る排紙装置の一実施形態の断面図（Ａ）、同右側面図（Ｂ）及び除電ブラシの斜視図（Ｃ）である。図中１は排紙ローラ、２は排紙従動ローラ、３は上ガイド板、４は下ガイド板、５は除電ブラシ、６は排紙トレイである。排紙される用紙Ｐは、上ガイド板３及び下ガイド板４にガイドされながら図中矢印Ａ方向に進み、排紙ローラ１と排紙従動ローラ２とのニップに導かれた後、搬送され、排紙出口上部に設けた除電ブラシ５が有するブラシ７の先端に接触したり離れたりしながら排紙トレイ６上に排出され、順次スタックされていく。
【０００８】
図２に示すように、排紙ローラ１には用紙コシ付けのためのフランジ１ａが設けてあり、下ガイド板４には用紙コシ付け用の突起４ａが設けてある。排紙ローラ１と排紙従動ローラ２とにより排紙トレイ６へと排出される用紙Ｐは、コシ付けのためのフランジ１ａと突起４ａの働きにより、図２に示すように中央部が高く、両端部が低くなってコシが与えられて排紙され、排紙トレイ６上にスタックされる。
【０００９】
上ガイド板３に取り付けた除電ブラシ５は、背骨部８の両端部にはブラシ７を有し、中央部９がブラシ無しの部分で構成されており、コシ付けされた用紙Ｐの両端部でのみブラシ７の先端が接触可能になっている。従って、除電ブラシ５の中央部９では排紙ローラ１のフランジ１ａと下ガイド板４の突起４ａによる用紙Ｐのコシ付けが妨げられず、小サイズから大サイズの用紙まで、また薄紙から厚紙まで用紙Ｐのコシ付け機能が確保でき、排紙トレイ６上への用紙Ｐのスタック性も良好に保たれる。
【００１０】
図３は、上記実施形態で用いた除電ブラシ５の変形例を示す断面図（Ａ）及び斜視図（Ｂ）である。この例の除電ブラシ５は、全長にわたって元々は均一な長さのブラシ７を有し、ブラシ無しとする中央部９にその部分のブラシ７を巻き込むように粘着シート１０を貼り付けてブラシのある部分とブラシ無し部分を形成している。図中２点鎖線１１が粘着シート１０による巻き込み前のブラシ７の先端位置を示す。もちろんこの実施形態では、ブラシ７が図示のように巻き込める可撓性を有する必要がある。
【００１１】
図４は、本発明に係る排紙装置の第２の実施形態の右側面図（Ａ）及び除電ブラシの斜視図（Ｂ）である。この実施形態では、下ガイド板４は平坦部材で、上ガイド板３に用紙Ｐへのコシ付け用の突起３ａが設けてある。この突起３ａの働きにより用紙Ｐは中央部と両端部が低く、中央と両端の間が高くなって（図示せず）コシが与えられて排紙トレイ６上にスタックされる。除電ブラシ２０は、このコシ付けの形態に対応させて、両端部と中央部の３箇所にブラシ７を備え、それらの間の部位２１がブラシ無しの部分で構成されており、コシ付けされた用紙Ｐの中央部と両端部でのみブラシ７の先端が接触可能になっている。そのたの構成、動作、機能については第１の実施形態と同様であるので、共通する部分に共通する符号を付すに止め、重複する説明は省略する。
【００１２】
【発明の効果】
請求項１に係る排紙装置は、以上説明してきたように、排紙ローラか排紙ガイド板の少なくともいずれか一方に用紙にコシを付ける部位を有し、かつ排紙出口に設けた除電ブラシが、用紙のコシ付けを妨げないように一部ブラシのない部分を有するので、簡単な構成で、小サイズから大サイズの用紙まで、また薄紙から厚紙まで用紙のコシ付け機能を発揮でき、排紙トレイ上での用紙のスタック性を良好に保つことができ、かつコスト高を招くことがないという効果を奏する。
【００１３】
請求項２に係る排紙装置は、以上説明してきたように、除電ブラシの有するブラシが可撓性を有し、除電ブラシのブラシ無しの部分を、その部分が備えるブラシを粘着シートの巻き付けによって覆って形成するようにしたので、上記共通の工科に加え、除電ブラシの特殊なカットや植毛の有無部分を設ける必要がなく、簡単に必要な除電ブラシの形状を構成でき、極めてコスト効率のよいものとなるという効果を奏する。
【図面の簡単な説明】
【図１】本発明に係る排紙装置の一実施形態の断面図（Ａ）、同右側面図（Ｂ）及び除電ブラシの斜視図（Ｃ）である。
【図２】図１の実施形態装置の動作を示す斜視図である。
【図３】図１の実施形態で用いた除電ブラシの変形例を示す断面図（Ａ）及び斜視図（Ｂ）である。
【図４】本発明に係る排紙装置の第２の実施形態の右側面図（Ａ）及び除電ブラシの斜視図（Ｂ）である。
【符号の説明】
１  排紙ローラ
１ａ  排紙ローラのフランジ
２  排紙従動ローラ
３  上ガイド板
３ａ  上ガイド板の突起
４  下ガイド板
４ａ  下ガイド板の突起
５  除電ブラシ
６  排紙トレイ
７  ブラシ
８  除電ブラシの背骨部
９  ブラシ無しの部分
１０  粘着シート
２０  除電ブラシ
２１  ブラシ無しの部分
Ｐ  用紙
【図１】
0003754548.tif 000002
【図２】
0003754548.tif 000003
【図３】
0003754548.tif 000004
【図４】
0003754548.tif 000005